(57)【要約】【課題】光ピックアップの小型化が可能であり、且つ機械的強度も十分に確保された光ピックアップ用ハウジングを提供する。【解決手段】対物レンズアクチュエータ１２の実装位置の直下であるハウジング１１上の所定の位置には略三角形状の開口１７が設けられている。この開口１７は、対物レンズアクチュエータ１２の位置及び傾きを調整するためのアクチュエータ調整孔である。三角形状の開口１７の角部はラウンド状に面取りされている。これにより開口面積をさらに縮小することができ、ハウジング１１の強度をさらに確保することができる。略三角形状の開口１７は、対物レンズアクチュエータ１２の幅方向に細長い形状を有している。【選択図】図２
2008052872.tif 000002
【特許請求の範囲】
【請求項１】
対物レンズアクチュエータを含む各種光学部品が実装される光ピックアップ用ハウジングであって、
前記対物レンズアクチュエータの実装位置に形成された略三角形状の開口を有することを特徴とする光ピックアップ用ハウジング。
【請求項２】
前記開口の角部がラウンド状に面取りされていることを特徴とする請求項１に記載の光ピックアップ用ハウジング。
【請求項３】
前記開口が前記対物レンズアクチュエータの幅方向に細長い形状を有することを特徴とする請求項１又は２に記載の光ピックアップ用ハウジング。
【請求項４】
請求項１乃至３のいずれか一項に記載の光ピックアップ用ハウジングと、
前記光ピックアップ用ハウジングの前記開口の上方に設けられた前記対物レンズアクチュエータとを少なくとも備えることを特徴とする光ピックアップ。
【発明の詳細な説明】
【技術分野】
【０００１】
本発明は、光ディスクや光磁気ディスクの記録再生装置に使用される光ピックアップに使用され、対物レンズ等の各種光学部品が搭載される光ピックアップ用ハウジングの構造に関するものである。
【背景技術】
【０００２】
図４は、光ピックアップの一般的な構成を示す模式図である。
【０００３】
図４に示すように、光ピックアップ３０は、レーザ光源３１と、レーザ光源３１からのレーザ光を複数のビームに分割する回折格子３２と、回折格子３２から出射したレーザ光を平行光にするコリメートレンズ３３と、平行光にされたレーザ光を光ディスク２０側へ導くミラー３４と、レーザ光をディスク面に収束させる対物レンズ３５と、光ディスク２０からの反射光を受光素子３８側へ導くビームスプリッタ３６と、ビームスプリッタ３６からの反射光を収束させるセンサレンズ３７と、センサレンズ３７によって収束された反射光を受光する受光素子３８とを備えている。そして、光ディスク２０に対する対物レンズ３５の位置は、対物レンズアクチュエータ３９によって高精度に制御される。詳細には、対物レンズ３５をフォーカス方向へ駆動することにより、光ディスク２０の記録面にビームスポットの焦点を合わせるフォーカス補正が行われ、トラッキング方向へ駆動することにより、光ディスク２０のトラックにビームスポットを追従させるトラッキング補正が行われる。
【０００４】
上述の光ピックアップにおいて、高精度な記録再生を実現するためには、対物レンズ３５の光軸が光ディスク２０に対して垂直に設定されることが必要である。そのため、例えば、特許文献１に示す従来の光ピックアップにおいては、対物レンズアクチュエータをハウジング上に固定する３箇所のネジ止めの深さを調整することでの光軸を調整していた。つまり、ハウジングの３箇所に貫通穴を設け、アクチュエータにもこれらに対応させて３個のねじ穴を設け、これらの穴にそれぞれ圧縮ばねを介在させ、調整ねじを穴及び圧縮ばねに通してねじ穴にねじ込み、そのねじ込みの深さを変えることによって、ハウジングに対するアクチュエータの傾斜角を任意方向について調整できるようにし、これにより、アクチュエータに支持された対物レンズの光軸の向きを調整できるようにしていた。
【特許文献１】特開平８−１６１７５６号公報
【発明の開示】
【発明が解決しようとする課題】
【０００５】
しかしながら、従来の光ピックアップにおいては、ハウジング上の３箇所にアクチュエータの傾き調整用のねじ穴が設けられていたため、光ピックアップの小型化に対する制約となっていた。また、アクチュエータの直下に略矩形状の広い開口を有していたため、ハウジングの機械的強度が十分でないという問題があった。
【０００６】
したがって、本発明の目的は、光ピックアップの小型化が可能であり、且つ機械的強度も十分に確保された光ピックアップ用ハウジング及びこれを用いた光ピックアップを提供することにある。
【課題を解決するための手段】
【０００７】
本発明の上記目的は、対物レンズアクチュエータを含む各種光学部品が実装される光ピックアップ用ハウジングであって、前記対物レンズアクチュエータの実装位置に形成された略三角形状の開口を有することを特徴とする光ピックアップ用ハウジングによって達成される。
【０００８】
本発明の光ピック用ハウジングにおいては、対物レンズアクチュエータの裏側からこの開口を通じて傾きを３点で調整することから、３点を確保しつつ無駄な開口部分をなくし、最小範囲の開口とすることで、ハウジング１１の強度の向上を図ることができる。
【０００９】
本発明においては、前記略三角形状の開口の角部がラウンド状に面取りされていることが好ましい。これによれば、開口面積をさらに縮小することができ、ハウジング１１の強度をさらに確保することができる。
【００１０】
本発明においては、前記開口が前記対物レンズアクチュエータの幅方向に細長い形状を有することが好ましい。これによれば、対物レンズのチルド角を高精度に調整することが可能である。
【００１１】
本発明の上記目的はまた、上述の光ピックアップ用ハウジングと、前記光ピックアップ用ハウジングの前記開口の上方に設けられた前記対物レンズアクチュエータとを少なくとも備えることを特徴とする光ピックアップによっても達成される。
【発明の効果】
【００１２】
このように、本発明によれば、小型であり、機械的強度も十分に確保された光ピックアップ用ハウジングを提供することができる。また、そのような光ピックアップ用ハウジングを用いた高性能な光ピックアップを提供することができる。
【発明を実施するための最良の形態】
【００１３】
以下、添付図面を参照しながら、本発明の好ましい実施の形態について詳細に説明する。
【００１４】
図１は、本発明の好ましい実施形態に係る光ピックアップの外観構成を示す斜視図である。
【００１５】
図１に示すように、この光ピックアップ１０は、金属製のハウジング１１と、ハウジング１１上に設けられた対物レンズアクチュエータ１２と、対物レンズアクチュエータ１２設けられた対物レンズ１３と、レーザ駆動回路等の制御基板１４とを備えている。ハウジング１１は、ガイドシャフトが挿入されるガイドシャフト挿入孔１１ａを備えており、光ディスクの径方向（トラック方向）と平行に設置されたガイドシャフト（不図示）に沿って移動可能に構成されている。ハウジング１１のトラック方向の内周側の一辺は、スピンドルモータの外周面に合わせて緩やかに湾曲した湾曲部１１ｂを有しており、対物レンズアクチュエータ１２はこの湾曲部付近に設けられているので、対物レンズ１３を光ディスクの最内周まで移動させることが可能である。制御基板１４は、ネジ１５によってハウジング１１上に固定されている。
【００１６】
図２は、図１の光ピックアップ１０において、対物レンズアクチュエータ１２及び制御基板１４を取り外した状態を示すものである。
【００１７】
図２に示すように、対物レンズ１３の直下に対応するハウジング１１の略中央部にはコリメートレンズ１６が設けられており、対物レンズアクチュエータ１２の下方に対応するハウジング１１上の所定の位置には略三角形状の開口１７が設けられている。この開口１７は、対物レンズアクチュエータ１２の位置及び傾きを調整するためのアクチュエータ調整孔であり、対物レンズアクチュエータの直下に設けられている。本実施形態の開口１７は、従来のような略矩形状ではなく略三角形状である。このようにしたのは、対物レンズアクチュエータ１２の傾きの調整が３点で行われることから、３点を確保しつつ無駄な開口部分をなくし、最小範囲の開口とすることで、ハウジング１１の強度を向上させるためである。また、三角形状の開口１７の角部はラウンド状に面取りされている。これにより開口面積をさらに縮小することができ、ハウジング１１の強度をさらに確保することができる。ここで、略三角形状の開口１７は、対物レンズアクチュエータ１２の幅方向に細長い形状を有している。これにより、対物レンズ１３のチルド角を高精度に調整することが可能である。
【００１８】
図３は、光ピックアップ１０の裏側の構成を示す略外観斜視図である。
【００１９】
図３に示すように、ハウジング１１の裏面には、レーザダイオード２１ａ、２１ｂ、回折格子２２ａ、２２ｂ、ダイクロイックプリズム２３、ミラー２４、ビームスプリッタ２５、センサレンズ２６、受光センサ２７等、光ピックアップ１０の構成に必要な各種光学部品が設けられている。また、対物レンズアクチュエータ１２の一点は、ネジ１８によって裏面から固定されている。このネジ止めは、対物レンズアクチュエータ１２を大体の位置に固定するためのものである。
【００２０】
対物レンズ１３の光軸の調整は、略三角形状の開口であるアクチュエータ調整孔１７内に調整用治具をセットし、アクチュエータ調整孔１７内にある３箇所の角部付近において、対物レンズアクチュエータ１２の高さをそれぞれ調整することにより行われ、最終的には対物レンズ１３の光軸が光ディスクに対して垂直に設定される。こうして高精度に位置決めされた対物レンズ１３は、対物レンズアクチュエータ１２に設けられたトラッキングコイル及びフォーカスコイルへの通電により電磁的に微少駆動され、光ディスクの記録面にビームスポットの焦点を合わせるフォーカス補正や、光ディスクのトラックにビームスポットを追従させるトラッキング補正が行われる。
【００２１】
このように、本実施形態の光ピックアップ用ハウジング１１によれば、対物レンズアクチュエータ１２の位置及び傾きを調整するためのアクチュエータ調整孔として略三角形状の開口を有することから、ハウジング１１の機械的強度を十分に確保することができる。また、開口内の３点で調整を行うことから、従来のようにハウジング上の３箇所に調整用ネジを設ける必要がなく、光ピックアップの小型化を図ることが可能となる。
【００２２】
本発明は、以上の実施形態に限定されることなく、本発明の趣旨を逸脱しない範囲内で種々の変更を加えることが可能であり、これらも本発明の範囲に包含されるものであることは言うまでもない。
【００２３】
例えば、上記実施形態においては、略三角形状の開口の角部がラウンド状に面取りされているが、本発明はこのような形状に限定されるものではなく、面取りのない形状とすることも可能である。また、上記実施形態においては、略三角形状の開口が対物レンズアクチュエータの幅方向に細長い形状を有しているが、正三角形に近似の形状であっても構わない。
【図面の簡単な説明】
【００２４】
【図１】図１は、本発明の好ましい実施形態に係る光ピックアップの表側の構成を示す外観斜視図である。
【図２】図２は、図１の光ピックアップ１０において、対物レンズアクチュエータ１２及び制御基板１４を取り外した状態を示すものである。
【図３】図３は、光ピックアップ１０の裏側の構成を示す略外観斜視図である。
【図４】図４は、光ピックアップの一般的な構成を示す模式図である。
【符号の説明】
【００２５】
１０    光ピックアップ
１１    光ピックアップ用ハウジング
１１ａ    ガイドシャフト挿入孔
１１ｂ    湾曲部
１２    対物レンズアクチュエータ
１３    対物レンズ
１４    制御基板
１５    ネジ
１６    コリメートレンズ
１７    開口（クチュエータ調整孔）
１８    ネジ
２０    光ディスク
２１ａ    レーザダイオード
２１ｂ    レーザダイオード
２２ａ    回折格子
２２ｂ    回折格子
２３    ダイクロイックプリズム
２４    ミラー
２５    ビームスプリッタ
２６    センサレンズ
２７    受光センサ
３０    光ピックアップ
３１    レーザ光源
３２    回折格子
３３    コリメートレンズ
３４    ミラー
３５    対物レンズ
３６    ビームスプリッタ
３７    センサレンズ
３８    受光素子
３９    対物レンズアクチュエータ
【図１】
2008052872.tif 000003
【図２】
2008052872.tif 000004
【図３】
2008052872.tif 000005
【図４】
2008052872.tif 000006